(57)【要約】      （修正有）【課題】部品点数が少なく、組付け及び操作が簡単で、摩耗・不具合が生じにくい低コストのクイックカプラを提供する。【解決手段】左右側板間に軸方向の中空部を有し中空部の先端開放部がロワリンクフレーム２のＵ字形係着部１に向くようにしたガイドブラケット５をロワリンクフレームの軸方向に一体結合する。先端を下向き傾斜面に形成したスライダ７の後端に圧縮ばね８を直列に配してガイドブラケットの中空部に摺動可能に嵌装し、直列圧縮ばねによりスライダ先端をガイドブラケット開放端外側へ付勢させる。ガイドブラケットの左右側板に回動支点１０ａを軸支し、その一端側を中空部上方へ突出させるとともに他端側をスライダの後部に連動可能に係合させたスライダアンロックレバー１０とアンロック位置へ回動させたスライドアンロックレバーをガイドブラケットの後端フック部に係着させるアンロック保持手段を設ける。【選択図】図３
2014000021.tif 000002
【特許請求の範囲】
【請求項１】
一端側にＵ字形係着部（１）を形成し、その後方にＬ字形切り欠きを形成したロワリンクフレーム（２）と；左右側板（３ａ），（３ｂ）間に軸方向の中空部（４）を有し該中空部（４）の先端開口部（４´）が前記ロワリンクフレーム（２）のＵ字係着部（１）へ向くようにしてロワリンクフレーム（２）の軸方向に一体結合したガイドブラケット（５）と；先端を下向きテーパー面（６）に形成したスライダ（７）の後端に圧縮ばね（８）を直列に配して前記ガイドブラケット（５）の中空部（４）に水平摺動可能に嵌装され、前記直列圧縮ばね（８）によりスライダ（７）先端を前記ガイドブラケット（５）の先端開口部（４´）外側へ付勢させるロック装置と；ロック装置のスライダ（７）が前記ガイドブラケット（５）に対して上方移動を規制するように設けられたストッパー手段と；前記ガイドブラケット（５）の左右側板（３ａ），（３ｂ）に設けたピン孔（９）に回動支点（１０ａ）を軸支し、その一端側を中空部（４）上方へ突出させるとともに他端側を前記スライダ（７）の後部に連動可能に係合させたスライダアンロックレバー（１０）と；アンロック位置へ回動させた前記スライダアンロックレバー（１０）を前記ガイドブラケット（５）の後端フック部（１１）に係着させるアンロック保持手段と；を具備することを特徴とする農作業アタッチメントのクイックカプラ
【請求項２】
アンロック保持手段が、スライダアンロックレバー（１０）の上部取手（１０ｂ）に形成した突起（１０ｃ）と、長手方向に形成した開口部（１２ａ）の前方（１２ｂ）に重心を設定しこの開口部（１２ａ）を介してスライダアンロックレバー（１０）の突起（１０ｃ）下側に嵌装された係止プレート（１２）からなり、スライダアンロックレバー（１０）をアンロック位置に回動させた時に前記係止プレート（１２）の開口部（１２ａ）後端をガイドブラケット（５）の側板後端フック部（１１）に係合できるアンロックストッパー（１３）であることをさらに特徴とする請求項１記載のクイックカプラ
【発明の詳細な説明】
【技術分野】
【０００１】
本発明はトラクタと作業機アタッチメントを連結するロワリンクのクイックカプラに関し、特に両側を左右ブラケットに取り付けた両持ちロアリンクピンへの係着に適したクイックカプラに関する。
【背景技術】
【０００２】
広い圃場の農作業はロワリンクを備えた連結装置に作業機アタッチメントを連結して行われる。ロワリンクには各種、多様の作業機が互換的に連結するため、先端側に着脱が容易なカプラーが一体結合されている。
【先行技術文献】
【特許文献】
【０００３】
【特許文献１】特開２００６−２５６３８号公報
【発明の概要】
【発明が解決しようとする課題】
【０００４】
特開２００６−２５６３８号公報図１１、図１２にはロワリンクの一端にロワリングピン(5)を着脱可能に受け入れるＵ字形係着部(6)（フック）を形成するとともに、その前方（ロワリンク軸体側）に  前記Ｕ字形係着部へ向けた開放部と上部開口スリット(11)を設けたケーシング(7)を固設し、このケーシング(7)内に頭部(10)を上部開口スリット(11)に上方へ突出させた操作片(12)と、リンク(8)と、スプリング(13)と、開閉レバー(16)を収納したカプラー(3)が開示されている。
【０００５】
上記先行技術のカプラーは、ケーシング７内部の上記部品を５ケ所のピンを用いて連繋させることにより、開閉レバー(16)をロワリンクのＵ字形係着部に出没させてロワリングピン(5)を着脱可能に係着するものであるため、軸支は係止ピンを含む部品点数が多く、軸着部が多くなる。したがって、部材の組付けが面倒であるだけでなく、開閉レバー(16)を開位置に移動させ、保持させるには、ケーシング(7)の上方へ突出させた操作片(12)の頭部(10)を上方へ引っ張りながらスリット(11)に沿って移動させ、しかる後、操作片(12)をスリット(11)の後端側へ屈曲させて係止させなければならない。このような操作はクイックカプラとしては煩雑に過ぎる。
また、軸着部が多く、さらに開閉レバーは直線移動でないため摺動通路の設計に工夫が必要となり、摩耗や不具合が生じ易いという問題がった。
【０００６】
したがって本発明の目的は、部品点数が少なく、組付け及び操作が簡単で、摩耗・不具合が生じにくいクイックカプラを提供することにある。
【課題を解決するための手段】
【０００７】
上記の目的を達成するために、本発明のクイックカプラは、一端側にＵ字形係着部を形成し、その後方にＬ字形切り欠きを形成したロワリンクフレームと；左右側板間に軸方向の中空部を有し該中空部の先端開口部が前記ロワリンクフレームのＵ字係着部へ向くようにしてロワリンクフレームの軸方向に一体結合したガイドブラケットと；先端を下向きテーパー面に形成したスライダの後端に圧縮ばねを直列に配して前記ガイドブラケットの中空部に水平摺動可能に嵌装され、前記直列圧縮ばねによりスライダ先端を前記ガイドブラケットの先端開口部外側へ付勢させるロック装置と；ロック装置のスライダが前記ガイドブラケットに対して上方移動を規制するように設けられたストッパー手段と；前記ガイドブラケットの左右側板に設けたピン孔に回動支点を軸支し、その一端側を中空部上方へ突出させるとともに他端側を前記スライダの後部に連動可能に係合させたスライダアンロックレバーと；アンロック位置へ回動させた前記スライダアンロックレバーを前記ガイドブラケットの後端フック部に係着させるアンロック保持手段と；を具備することを特徴とする。
【０００８】
ロック装置のスライダを前記ガイドブラケットに対して上方移動を規制するストッパー手段は、左右側板間に固定され、スライダ上辺に摺接するストッパープレートで構成してもよく、また、スライダの側面に固設した係合ピンを、この係止ピンに対応して左右側板の長手方向に形成した溝に係合させる構造でもよい。
【０００９】
前記アンロック保持手段は、スライダアンロックレバーの上部取手に形成した突起と、長手方向に形成した開口部の前方に重心を設定しこの開口部を介してスライダアンロックレバーの突起下側に嵌装された係止プレートからなり、スライダアンロックレバーをアンロック位置に回動させた時に前記係止プレートの開口部後端をガイドブラケットの側板後端フック部に係合できるアンロックストッパーで構成することができる
【発明の効果】
【００１０】
本発明のクイックカプラは部品点数が少なく、部材が簡略な構造で連繋する構成としたので部品の制作・組付けが簡素化され、製造コストを低減できる。
【００１１】
ブラケットの左右側板間に収納したスライダを直列の圧縮ばねでロック位置へ直線状に付勢させるのでばね力にロスがなく、また、側板間に軸着したアンロックレバーのみでスライダを直接アンロック位置へ引き戻すので部品・部材の動きに無駄な力がかからないから操作が容易で摩耗、故障が生じにくい。
【００１２】
また、関連部材がブラケットの左右側板内に収納され、側面に出っ張り干渉物がないので両持ち構造のロワリンクピンにも適用できる。
【図面の簡単な説明】
【００１３】
【図１】本発明によるロワリンククイックカプラユニットの斜視図
【図２】図１のロワリンククイックカプラユニットの要部分解図
【図３】図１のクイックカプラユニットを使用したロワリンククイックカプラの組立体
【図４】本発明によるクイックカプラユニットの作用説明図
【図５】本発明によるクイックカプラユニットの作用説明図
【図６】作業アタッチメント支持バーの両持ちブラケットに係着した使用説明図
【発明を実施するための形態】
【００１４】
以下、本発明の実施例を添付の図面に基づいて説明する。
本発明のクックカプラ構造は、図１に示すように、一端側（図の実施例では作業機側）にＵ字形係着部（フック）１を形成したロワリンクフレーム２と、ガイドブラケット５と、圧縮ばね８とスライダ７からなるロック装置と、ロック装置のスライダ７が前記ガイドブラケット５に対して上方移動を規制するように設けられたストッパー手段と、スライダアンロックレバー１０と、ロック装置をアンロック位置に保持するアンロック保持装置を具備している。
【００１５】
前記ロワリンクフレーム２はＵ字形係着部１の後方に前記ガイドブラケット５を結合するためのＬ字形切り欠き部を設けある。
図２に示すように、前記ガイドブラケット５は、平行な左右対の側板３ａ，３ｂ間にロワリンクフレーム２軸方向の中空部４が形成され、該中空部４の先端開口部４´がロワリンクフレーム２のＵ字形係着部１の後端切り口に向くようにしてロワリンクフレーム２の前記切り欠き部に溶接等で一体に固定されている。また、ガイドブラケット５の後部には後述するスライダアンロックレバー１０を軸支するためのピン孔９を形成してある。
【００１６】
ロック装置はスライダ７の後部に圧縮ばね８を前後直列に連繋させた部材からなり、ロワリンクフレーム２のＬ字切り欠き部底面に沿って往復摺動できるようにしてガイドブラケット５の中空部４に嵌装され、直列に配した圧縮ばね８によりスライダ７の先端側をガイドブラケット５の先端開口部４´外側へ向けて直線状に付勢されるようになっている。
スライダ７は先端側を下向きのテーパー面６に形成し、Ｕ字形係着部１に係着されるピンがスライダ７のテーパー面６に係合してスライダ７を後退させ、ピンが自動的に係着されるようにしてある。
【００１７】
スライダ７の側面にスライダ抜け止めピン１５を取付けるとともに、ガイドブラケット５を構成する左右側板３ａ，３ｂにこのスライダ抜け止めピン１５に係合してスライダ７の摺動範囲（抜け止め）を規制する溝１６が形成している。
また、スライダ７の後部上辺には後述するスライダアンロックレバー１０の下端の凸状係合部１４ｂを係合させてスライダ７を圧縮ばね８に抗してアンロック位置に引き戻す凹状係合部１４ａを形成してある。
このように、スライダ７の後部はスライダアンロックレバー１０の下部と連繋しているのでスライダ７の抜け止め手段を兼ね備えている。
【００１８】
さらにガイドブラケット５の左右側板３ａ，３ｂ間にはスライダ７の上辺に摺接してスライダ７の上方移動を規制するストッパープレート１７が固設されている。
なお、スライダ７に上方への動きを規制する手段はストッパープレート１７よる上記の規制手段に限らず、例えば上記したスライダ７のスライダ抜け止めピン１５とガイドブラケット５の溝１６の係合でもよく、さらには、図は省略したがガイドブラケット５の先端開口部４’にスライダ７の上辺に摺接するストッパーを固設した構成でもよい。
【００１９】
スライダアンロックレバー１０は中間に回動支点１０ａを有し、この回動支点１０ａを前記ガイドプレート５のピン孔９に支点ピン９ａを介して回動可能に軸支されるとともに、上部取手１０ｂを中空部４の上方へ突出させ、回動支点１０ａの下方先端に形成した凸状係合部１４ｂを前記スライダ７の凹状係合部１４ａに係合させ、図の反時計回りに回動することによりスライダ７をアンロック位置に変位されるように組付けられている。
スライダアンロックレバー１０の先端とスライダ７の連繋結合手段はピン係着でもよいが狭い中空部４内で簡単に連結させるには、図示例のように加工・組付けが容易な凹凸部の嵌合が合理的である。
【００２０】
図示実施例のアンロック保持手段は、長手方向の後部軸方向の開口部１２ａを形成し且つ開口部１２ａの前方１２ｂに重心を設定した係止プレート１２を、前記開口部１２ａを介してスライダアンロックレバー１０の突起１０ｃ下側に遊嵌し、スライダアンロックレバー１０をアンロック位置に回動させた時に前記係止プレート１２の開口部１２ａ後端をスライダブラケット５の側板後端フック部（角部）１１に係合させるように構成したアンロックストッパー１３が使用されている。
【００２１】
なお、開口部１２ａはスライダアンロックレバー１０をアンロック位置に回動させた時に開口部１２ａの後端を前記後端フック部１１に係合させることができるとともに、係合を解くと開口部１２ａ前方１２ｂの重心で自動的に係合解除が保持される構成になっている。
【００２２】
かくして本発明のクイックカプラは上記構成部材を図１の一体構成のユニットに組付けられる。
【００２３】
図３はこの構成のクイックカプラユニットを左右対のロワリンクの枠体２４に応用したもので、符号１８はトラクタのブラケット（図は省略）に連結するピン孔、符号１９は揚げ下ろし用の油圧シリンダ（図は省略）のロッド先端を軸着するためのピン孔である。
【００２４】
図６はトラクタ２０と作業機を連結するロワリンクに本発明のクイックカプラを使用した場合を示すもので、農作業アタッチメント２１を取付けた横支持バー２２の両持ちピン２３にクイックカプラが着脱可能に係着されている。
【産業上の利用可能性】
【００２５】
組付けが容易で、操作勝手の良いクイックカプラを低コストで得られるので農作業アタッチメントの取付け、交換が容易になり大規模農業の発展に寄与できる。
【符号の説明】
【００２６】
１…Ｕ字形係着部
２…ロワリンクフレーム
３ａ、３ｂ…側板
４…中空部
４´…開口部
５…ガイドブラケット
６…下向きテーパー面
７…スライダ
８…圧縮ばね
９…ピン孔
９ａ…支点ピン
１０…スライダアンロックレバー
１０ａ…回動支点
１０ｂ…上部取手
１０ｃ…突起
１１…後端フック部
１２…係止プレート
１２ａ…開口部
１２ｂ…開口部前方
１３…アンロックストッパー
１４ａ…凹状係合部
１４ｂ…凸状係合部
１５…スライダ抜け止めピン
１６…溝
１７…ストッパプレート
１８…ピン孔
１９…ピン孔
２０…トラクタ
２１…農作業アタッチメント
２２…横支持バー
２３…両持ちピン
２４…枠体
【図１】
2014000021.tif 000003
【図２】
2014000021.tif 000004
【図３】
2014000021.tif 000005
【図４】
2014000021.tif 000006
【図５】
2014000021.tif 000007
【図６】
2014000021.tif 000008